【手続補正書】
【提出日】平成16年3月12日(2004.3.12)
【手続補正１】
【補正対象書類名】特許請求の範囲
【補正対象項目名】全文
【補正方法】変更
【補正の内容】
【特許請求の範囲】
【請求項１】
可変レートボコーダのエンコーディングレートを決定する装置において、
入力信号（Ｓ（ｎ））を受取り、その入力信号（Ｓ（ｎ))にしたがって信号対雑音比値を決定する信号対雑音比手段(8,10)と、
前記信号対雑音比値を受取って前記信号対雑音比値にしたがってエンコーディングレートを決定するレート決定手段とを具備しているエンコーディングレート決定装置。
【請求項２】
さらに、前記入力信号（Ｓ（ｎ))を受取り、予め決定されているサブバンドエネルギ計算フォーマットにしたがって複数のサブバンドエネルギ値((ＲL (0),ＲH (0))を決定するサブバンドエネルギ計算手段(4, 6)を具備している請求項１記載の装置。
【請求項３】
前記レート決定手段は、複数のサブバンドエネルギ値((ＲL (0),ＲH (0))を受取り、複数の示唆されたサブバンドエンコーディングレートを決定するサブバンドレート決定素子(12, 14)を具備している請求項２記載の装置。
【請求項４】
さらに、複数の示唆されたサブバンドエンコーディングレートを受取り、前記複数の示唆されたサブバンドエンコーディングレートにしたがって前記エンコーディングレートを決定するエンコーディングレート選択手段を具備している請求項３記載の装置。
【請求項５】
前記サブバンドエネルギ計算手段(4, 6)は、
【数１】
2004004971.tif 000001
にしたがって前記複数のサブバンドエネルギ値((ＲL (0),ＲH (0))のそれぞれを決定し、
ここで、Ｌはバンドパススフィルタｈbp（ｎ）のタップ数であり、
Ｒｓ（ｉ）は、入力信号Ｓ（ｎ）の自己相関関数であり、
Ｒhbp 、バンドパスフィルタｈbp（ｎ）の自己相関関数である請求項２記載の装置。
【請求項６】
前記信号対雑音比手段(8,10)はさらに閾値計算手段(8,10)を具備している請求項１記載の装置。
【請求項７】
前記閾値計算手段(8,10)は、前記サブバンドエネルギ計算手段(4, 6)と前記サブバンドレート決定素子(12, 14)との間に配置され、前記サブバンドエネルギ値((ＲL (0),ＲH (0))を受取り、前記複数のサブバンドエネルギ値((ＲL (0),ＲH (0))にしたがって１組のエンコーディングレート閾値を決定する請求項３または６記載の装置。
【請求項８】
前記閾値計算手段(8,10)は、前記複数のサブバンドエネルギ値((ＲL (0),ＲH (0))にしたがって前記信号対雑音比値を決定する請求項２または６記載の装置。
【請求項９】
前記閾値計算手段(8,10)は、前記信号対雑音比値にしたがってスケーリング値を決定する請求項６記載の装置。
【請求項１０】
前記閾値計算手段(8,10)は、背景雑音推定値を前記スケーリング値と乗算することにより少なくとも１つの閾値を決定する請求項９記載の装置。
【請求項１１】
前記サブバンドレート決定素子(12, 14)は、前記示唆されたエンコーディングレートをを決定するために少なくとも１つの閾値と前記複数のサブバンドエネルギ値((ＲL (0),ＲH (0))の少なくとも１つとを比較する請求項３記載の装置。
【請求項１２】
前記レート決定手段は、前記複数のサブバンドエネルギ値((ＲL (0),ＲH (0))の少なくとも１つを前記少なくとも１つの閾値と比較して前記エンコーディングレートをを決定する請求項１０記載の装置。
【請求項１３】
前記レート決定手段は複数の示唆されたエンコーディングレートを決定し、各示唆されたエンコーディングレートは前記複数のサブバンドエネルギ値((ＲL (0),ＲH (0))のそれぞれに対応し、前記レート決定手段は前記複数の示唆されたエンコーディングレートにしたがって前記エンコーディングレートを決定する請求項２記載の装置。
【請求項１４】
前記信号対雑音比手段は信号対雑音比計算装置を備え、その信号対雑音比計算装置は前記入力信号を受取り、その入力信号にしたがって前記信号対雑音比値を決定し、前記レート決定手段は前記信号対雑音比値を受取り、その信号対雑音比値にしたがって前記エンコーディングレートを選択するレート選択装置を具備している請求項１記載の装置。
【請求項１５】
さらに、入力信号（Ｓ（ｎ))の各周波数サブバンドに対する信号エネルギを決定するサブバンドフィルタサブシステム(4, 6)を備え、前記レート決定手段は入力信号（Ｓ（ｎ))の各周波数サブバンドの信号エネルギに基づいて入力信号のエンコーディングレートを選択するレート選択サブシステムを具備している請求項１記載の装置。
【請求項１６】
前記サブバンドフィルタサブシステムは複数のサブバンドエネルギ計算素子(4, 6)を備え、複数のサブバンドエネルギ計算素子のそれぞれは周波数サブバンドの信号エネルギを決定するように構成されている請求項１５記載の装置。
【請求項１７】
前記信号対雑音比手段は複数の閾値適応素子(8,10)を備え、複数の閾値適応素子(8,10)のそれぞれは対応するサブバンドエネルギ計算素子(4, 6)からの周波数サブバンドの信号エネルギを使用してオージオ信号が周波数サブバンド中に存在するか否かについて決定するように構成されている請求項１６記載の装置。
【請求項１８】
複数の各閾値適応素子(8,10)は、信号エネルギおよび対応する周波数サブバンドの雑音推定値に基づいて閾値を決定するように構成され、閾値はオージオ信号が周波数サブバンド中に存在するか否かについて決定するために使用される請求項１７記載の装置。
【請求項１９】
複数の閾値適応素子(8,10)は、入力信号の周波数サブバンドの組合わされた信号エネルギに基づいて閾値を決定するように構成され、閾値はオージオ信号が周波数サブバンド中に存在するか否かについて決定するために使用される請求項１６記載の装置。
【請求項２０】
可変レートボコーダのエンコーディングレートの決定方法において、
入力信号（Ｓ（ｎ))を受取り、
入力信号（Ｓ（ｎ))にしたがって信号対雑音比値を決定し、
この信号対雑音比値にしたがってエンコーディングレートを決定するステップを有しているエンコーディングレート決定方法。
【請求項２１】
さらに、予め定められたサブバンドエネルギ計算フォーマットにしたがって複数のサブバンドエネルギ値を決定するステップを含んでいる請求項２０記載の方法。
【請求項２２】
さらに、複数のサブバンドエネルギ値にしたがって複数の示唆されたサブバンドエンコーディングレートを決定するステップを有している請求項２１記載の方法。
【請求項２３】
複数のサブバンドエネルギ値を決定する前記ステップは、
【数２】
2004004971.tif 000002
にしたがって行われ、
ここで、Ｌはバンドパススフィルタｈbp（ｎ）のタップ数であり、
Ｒｓ（ｉ）は入力信号Ｓ（ｎ）の自己相関関数であり、
Ｒhbp はバンドパスフィルタｈbp（ｎ）の自己相関関数である請求項２１または２２記載の方法。
【請求項２４】
さらに、複数のサブバンドエネルギ値にしたがって１組のエンコーディングレート閾値を決定するステップを有している請求項２２記載の方法。
【請求項２５】
前記１組のエンコーディングレート閾値を決定するステップにおいて、前記複数のサブバンドエネルギ値にしたがって信号対雑音比の値を決定する請求項２４記載の方法。
【請求項２６】
前記１組のエンコーディングレート閾値を決定するステップは、前記信号対雑音比の値にしたがってをスケーリング値を決定する請求項２５記載の方法。
【請求項２７】
前記１組のエンコーディングレート閾値を決定するステップは、前記スケーリング値と背景雑音推定値とを乗算することによって前記エンコーディングレート閾値を決定する請求項２５記載の方法。
【請求項２８】
前記エンコーディングレートの決定において、前記複数のサブバンドエネルギ値の少なくとも１つを少なくとも１つの閾値と比較して、前記エンコーディングレートを決定する請求項２２記載の方法。
【請求項２９】
前記複数の示唆されたサブバンドエンコーディングレートを決定するステップは、前記複数のサブバンドエネルギ値の少なくとも１つを少なくとも１つの閾値と比較して前記複数の示唆されたサブバンドエンコーディングレートを決定する請求項２４または２７記載の方法。
【請求項３０】
さらに、前記複数のサブバンドエネルギ値のそれぞれにしたがって示唆されたエンコーディングレートを生成するステップを含み、前記エンコーディングレートを決定するステップは前記示唆されたエンコーディングレートの１つの選択を含んでいる請求項２２記載の方法。
【請求項３１】
入力信号に対するエンコーディングレートを選択する装置において、
入力信号（Ｓ（ｎ))の各周波数サブバンド中にオージオ信号が存在するか否かを決定するオージオ信号検出装置と、
オージオ信号が入力信号（Ｓ（ｎ))の各周波数サブバンド中に存在するか否かの決定にしたがって入力信号（Ｓ（ｎ))に対するエンコーディングレートを選択するエンコーディングレート選択装置とを具備しているエンコーディングレート選択装置。
【請求項３２】
前記オージオ信号検出装置は、
入力信号（Ｓ（ｎ))の各周波数サブバンドに対して信号エネルギを決定する複数のサブバンドエネルギ計算素子(4, 6)と、複数の閾値適応素子(8,10)とを具備し、
各閾値適応素子(8,10)は複数のサブバンドエネルギ計算素子(4, 6)の１つに結合されてそれと通信するように構成され、各閾値適応素子(8,10)は割当てられた周波数サブバンドの信号エネルギを使用してオージオ信号が割当てられた周波数サブバンド中に存在するか否かを決定する請求項３１記載の装置。
【請求項３３】
エンコーディングレート選択装置は、複数の閾値適応素子(8,10)のそれぞれにより行われた決定に基づいて入力信号（Ｓ（ｎ))のエンコーディングレートを選択するように構成されている請求項３２記載の装置。
【請求項３４】
複数の閾値適応素子(8,10)はそれぞれ割当てられた周波数サブバンドの信号エネルギおよび背景雑音推定値に基づいて閾値を推定し、その閾値はオージオ信号が割当てられた周波数サブバンド中に存在するか否かを決定するために使用される請求項３３記載の装置。
【請求項３５】
各閾値適応素子(8,10)は次の式で与えられた正規化された自己相関関数を検査することによってオージオ信号が存在するか否かを決定し、
【数３】
2004004971.tif 000003
ここで、ｅ（ｎ）はＬＰＣフィルタにより入力信号（Ｓ（ｎ))を濾波した結果得られるフォーマット残留信号である請求項３２記載の装置。
【請求項３６】
前記オージオ信号検出装置は、入力信号（Ｓ（ｎ))の各周波数サブバンドに対する信号エネルギを決定するサブバンドフィルタサブシステムを含み、エンコーディングレート選択装置は入力信号（Ｓ（ｎ))の各周波数サブバンドの信号エネルギに基づいて入力信号（Ｓ（ｎ))のエンコーディングレートを選択するように構成されたエンコーディングレート選択サブシステムを含んでいる請求項３１記載の装置。
【請求項３７】
前記エンコーディングレートは可変レートボコーダに対して決定され、前記オージオ信号検出装置は入力信号（Ｓ（ｎ))を受取って予め定められたサブバンドエネルギ計算フォーマットにしたがって複数のサブバンドエネルギ値((ＲL (0),ＲH (0))を決定するサブバンドエネルギ計算装置(4, 6)を備えている請求項３１記載の装置。
【請求項３８】
前記エンコーディングレート選択装置は、前記複数のサブバンドエネルギ値((ＲL (0),ＲH (0))を受取って複数の示唆されたサブバンドエンコーディングレートを決定するためのサブバンドレート決定素子(12, 14)を含んでいる請求項３７記載の装置。
【請求項３９】
前記エンコーディングレート選択装置は、前記複数の示唆されたサブバンドエンコーディングレートを受取り、前記複数のサブバンドエンコーディングレートにしたがって前記エンコーディングレートを決定するためのエンコーディングレート選択素子(16)を含んでいる請求項３８記載の装置。
【請求項４０】
前記サブバンドエネルギ計算装置(4, 6)は、
【数４】
2004004971.tif 000004
にしたがって複数のサブバンドエネルギ値((ＲL (0),ＲH (0))のそれぞれを決定し、
ここで、Ｌはバンドパススフィルタｈbp（ｎ）のタップ数であり、
Ｒｓ（ｉ）は入力信号Ｓ（ｎ）の自己相関関数であり、
Ｒhbp はバンドパスフィルタｈbp（ｎ）の自己相関関数である請求項３７記載の装置。
【請求項４１】
前記エンコーディングレートは可変レートボコーダに対して決定され、
前記装置はさらに、入力信号（Ｓ（ｎ))を受取って、その入力信号（Ｓ（ｎ))にしたがって信号対雑音比の値を決定する信号対雑音比手段(8,10)を具備し、
前記エンコーディングレート選択装置は前記信号対雑音比値を受取り、その信号対雑音比値にしたがって前記エンコーディングレートを決定するレート決定手段を具備している請求項３１記載の装置。
【請求項４２】
装置はさらに前記サブバンドエネルギ計算装置(4, 6)と前記サブバンドレート決定素子(12, 14)との間に配置されて前記サブバンドエネルギ値((ＲL (0),ＲH (0))を受取り、前記複数のサブバンドエネルギ値((ＲL (0),ＲH (0))にしたがって１組のエンコーディングレート閾値を決定する閾値計算手段(8,10)を含んでいる請求項３８記載の装置。
【請求項４３】
前記閾値計算手段(8,10)は前記複数のサブバンドエネルギ値((ＲL (0),ＲH (0))にしたがって前記信号対雑音比値を決定する請求項４１または４２記載の装置。
【請求項４４】
前記閾値計算手段(8,10)は前記信号対雑音比値にしたがってスケーリング値を決定する請求項４３記載の装置。
【請求項４５】
前記閾値計算手段(8,10)はスケーリング値と背景雑音推定値を乗算することによって少なくとも１つの閾値を決定する請求項４４記載の装置。
【請求項４６】
前記エンコーディングレート選択装置は、前記複数のサブバンドエネルギ値((ＲL (0),ＲH (0))の少なくとも１つを前記少なくとも１つの閾値と比較して前記エンコーディングレートを決定する請求項４５記載の装置。
【請求項４７】
前記エンコーディングレート選択装置は、複数の示唆されたエンコーディングレートを決定し、示唆されたエンコーディングレートのそれぞれは前記複数のサブバンドエネルギ値((ＲL (0),ＲH (0))のそれぞれに対応し、前記エンコーディングレート選択装置は、前記複数の示唆されたエンコーディングレートにしたがって前記エンコーディングレートを決定する請求項３７記載の装置。
【請求項４８】
入力信号（Ｓ（ｎ))に対するエンコーディングレートを選択する法において、
入力信号（Ｓ（ｎ))を受取り、
オージオ信号が入力信号の各周波数サブバンド中に存在するか否かを決定し、
オージオ信号が入力信号（Ｓ（ｎ))の各周波数サブバンド中に存在するか否かの決定にしたがって入力信号（Ｓ（ｎ))に対する前記エンコーディングレートを選択するステップを有しているエンコーディングレート選択方法。
【請求項４９】
前記オージオ信号が入力信号の各周波数サブバンド中に存在するか否かを決定するステップは、
入力信号（Ｓ（ｎ))の各周波数サブバンドに対する信号エネルギを決定し、
複数の閾値適応素子の対応する１つの割当てられた周波数サブバンドの信号エネルギを使用して、オージオ信号が割当てられた周波数サブバンド中に存在するか否かを決定する請求項４７記載の方法。
【請求項５０】
エンコーディングレートを選択するステップにおいて、
複数の閾値適応素子のそれぞれにより行われた決定に基づいて入力信号（Ｓ（ｎ))のエンコーディングレートを選択する請求項４９記載の方法。
【請求項５１】
信号エネルギを使用するステップはさらに、
複数の閾値適応素子のそれぞれにおいて、割当てられた周波数サブバンドの信号エネルギおよび背景雑音推定値に基づいて閾値を決定し、
その閾値を使用してオージオ信号が割当てられた周波数サブバンド中に存在するか否かを決定する請求項４９または５０記載の装置。
【請求項５２】
閾値を使用するステップは、次の式で与えられた正規化された自己相関関数を検査することによってオージオ信号が存在するか否かを決定するステップを含み、
【数５】
2004004971.tif 000005
ここで、ｅ（ｎ）はＬＰＣフィルタにより入力信号（Ｓ（ｎ))を濾波した結果得られるフォーマット残留信号である請求項５１記載の方法。
【請求項５３】
前記オージオ信号が入力信号の各周波数サブバンド中に存在するか否かを決定するステップは、サブバンドフィルタサブシステムを使用して入力信号（Ｓ（ｎ))の各周波数サブバンドに対する信号エネルギを決定するステップを含み、
前記エンコーディングレートを選択するステップは、レート選択サブシステムにおける入力信号（Ｓ（ｎ))の各周波数サブバンドの信号エネルギに基づいて入力信号（Ｓ（ｎ))のエンコーディングレートを選択するステップを含んでいる請求項４８記載の方法。
【請求項５４】
前記オージオ信号が入力信号の各周波数サブバンド中に存在するか否かを決定するステップは、
サブバンドエネルギ計算手段において前記入力信号（Ｓ（ｎ))を受信し、
予め定められたサブバンドエネルギ計算フォーマットにしたがって複数のサブバンドエネルギ値((ＲL (0),ＲH (0))を決定するステップを含み、
入力信号（Ｓ（ｎ))に対する前記エンコーディングレートを選択するステップは、
前記複数のサブバンドエネルギ値にしたがって前記エンコーディングレートを決定するステップを含んでいる請求項４８記載の方法。
【請求項５５】
前記エンコーディングレートを選択するステップはさらに、
サブバンドレート決定素子(12, 14)において前記複数のサブバンドエネルギ値((ＲL (0),ＲH (0))を受信し、
複数の示唆されたサブバンドエンコーディングレートを決定するステップを含んでいる請求項５４記載の方法。
【請求項５６】
前記エンコーディングレートを選択するステップはさらに、
エンコーディングレート選択素子(16)において前記複数の示唆されたサブバンドエンコーディングレートを受信し、
複数の示唆されたサブバンドエンコーディングレートにしたがって前記エンコーディングレートを決定するステップを含んでいる請求項５５記載の方法。
【請求項５７】
前記複数のサブバンドエネルギ値を決定するステップは次の式にしたがって行われ、
【数６】
2004004971.tif 000006
ここで、Ｌはバンドパススフィルタｈbp（ｎ）のタップ数であり、
Ｒｓ（ｉ）は入力信号Ｓ（ｎ）の自己相関関数であり、
Ｒhbp はバンドパスフィルタｈbp（ｎ）の自己相関関数である請求項５４記載の方法。
【請求項５８】
前記エンコーディングレート閾値のセットを前記複数のサブバンドエネルギ値にしたがって決定するステップをさらに含んでいる請求項５４記載の方法。
【請求項５９】
前記エンコーディングレート閾値のセットを決定するステップにおいて、前記複数のサブバンドエネルギ値にしたがって信号対雑音比値を決定する請求項５８記載の方法。
【請求項６０】
前記エンコーディングレート閾値のセットを決定するステップにおいて、前記信号対雑音比値にしたがってスケール値を決定する請求項５９記載の方法。
【請求項６１】
前記エンコーディングレート閾値のセットを決定するステップにおいて、前記スケール値と背景雑音推定値とを乗算することにより前記エンコーディングレート閾値を決定する請求項６０記載の方法。
【請求項６２】
前記エンコーディングレートの決定において、前記複数のサブバンドエネルギ値の少なくとも１つを少なくとも１つの閾値と比較して前記エンコーディングレートを決定する請求項５４記載の方法。
【請求項６３】
前記エンコーディングレートを決定するステップにおいて、前記複数のサブバンドエネルギ値の少なくとも１つを少なくとも１つの閾値と比較して前記エンコーディングレートを決定する請求項６１記載の方法。
【請求項６４】
前記複数のサブバンドエネルギ値のそれぞれにしたがって示唆されたエンコーディングレートを生成するステップをさらに含み、前記エンコーディングレートを決定するステップは前記エンコーディングレートの１つを選択するステップを含んでいる請求項５４記載のシステム。
【請求項６５】
信号対雑音比手段(8,10)において入力信号（Ｓ（ｎ))を受信して前記入力信号（Ｓ（ｎ))にしたがって信号対雑音比値を決定し、
前記入力信号（Ｓ（ｎ))に対する前記エンコーディングレートを選択するステップはさらに、レート決定手段において前記信号対雑音比値を受取り、その信号対雑音比値にしたがって前記エンコーディングレートを決定する請求項４８記載の方法。